(57)【特許請求の範囲】
【請求項１】
多目的トイレに設けられるオストメイト用汚物流しであって、
ボウルと、
前記ボウルの内壁に設けられた水栓と、
を備え、
前記ボウルは、その内側に、
前記ボウルの上部開口端に向けて拡開した内壁面を有する上段部と、
前記上段部の下に設けられた中段部と、
前記中段部の下に設けられ、封水部を有する下段部と、
を有し、
前記中段部は、周側壁と、前記周側壁の下に設けられ略水平に延在する棚部と、前記周側壁に略接線方向に洗浄水を吐水する噴出口と、を有することを特徴とするオストメイト用汚物流し。
【請求項２】
前記水栓は、前記上段部の奥側に設けられたことを特徴とする請求項１記載のオストメイト用汚物流し。
【請求項３】
前記噴出口は、前記ボウルの内側の右側または左側において、前記ボウルの前面の方向に向けて洗浄水を吐水することを特徴とする請求項１または２に記載のオストメイト用汚物流し。
【請求項４】
前記周側壁の曲率は、前記ボウルの背面側におけるよりも前面側において小さいことを特徴とする請求項１〜３のいずれか１つに記載のオストメイト用汚物流し。
【請求項５】
前記上段部の前記内壁面と、前記周側壁と、は、前記ボウルの前面側において略連続的につながっていることを特徴とする請求項１〜４のいずれか１つに記載のオストメイト用汚物流し。
【請求項６】
前記水栓は、
吐水ヘッドと、
前記吐水ヘッドに接続された可撓性のホースと、
前記ホースが収納される水栓取り付け部と、
を有し、
前記ホースが前記吐水ヘッドとともに前記水栓取り付け部から引き出され、前記ボウルの上部開口付近で前記吐水ヘッドから吐水をさせる場合において、前記ホースは、前記封水部の封水に触れない長さであることを特徴とする請求項１〜５のいずれか１つに記載のオストメイト用汚物流し。
【請求項７】
前記ボウルの前面は、下方になるにしたがい前記前面と対向する側の面に近づくように傾斜していることを特徴とする請求項１〜６のいずれか１つに記載のオストメイト用汚物流し。
【請求項８】
前記ボウルの側面は、鉛直線に対して略平行な平面であることを特徴とする請求項１〜５のいずれか１つに記載のオストメイト用汚物流し。
【発明の詳細な説明】
【技術分野】
【０００１】
本発明は、人工肛門や人工膀胱などの保持者である「オストメイト」と呼ばれる人々が使用する多目的トイレに備えられるオストメイト用汚物流しに関する。
【背景技術】
【０００２】
人工肛門や人工膀胱などの保持者であるオストメイトと呼ばれる人々は、身体の腹部に排泄物（以下、汚物という）を溜めておくための袋、いわゆるパウチを装着しており、時折、トイレにおいて溜まった汚物を廃棄したり、パウチの内面、ストーマ（腹部に造設された排泄口）、ストーマ付近の腹部などに付着した汚物を洗い流すなどの作業を行う必要がある。
【０００３】
近年、オストメイトと呼ばれる人々が外出先で気兼ねをすることなくこれらの作業を行うことのできる施設（以下、多目的トイレという）の設置が進められている。    
この多目的トイレには、大便器とは別に専用のオストメイト用汚物流しが設けられており、オストメイト用汚物流しのボウルの上方には、シャワーユニットを備えた水栓、ボウルに投入された汚物を排出させるためのフラッシュバルブ、液体石鹸供給器などが設けられている（特許文献１を参照）。
【０００４】
ここで、オストメイトが汚物を廃棄したり、付着した汚物を洗い流したりする場合には、これら汚物を洗い流すために洗浄水が流されるが、一般的なオストメイト用汚物流しでは、洗浄水はボウル上部のふちに設けられたオーバーハング部（流しの内側の突出部）の下部から吐水される。より詳細には、洗浄水は、オーバーハング部の下部に設けられた複数の吐水口から吐水される。しかし、オーバーハング部の下面には汚物が付着する可能性があるところ、この汚物は吐水口からの吐水だけでは除去することができず、別途清掃作業をする必要がある。また、オーバーハング部下面は直接視認することが困難であることから、清掃がしづらいという問題もある。
【特許文献１】特開２００４−２８３３９４号公報
【発明の開示】
【発明が解決しようとする課題】
【０００５】
本発明は、清掃が容易なオストメイト用汚物流しを提供する。
【課題を解決するための手段】
【０００６】
本発明の一態様によれば、多目的トイレに設けられるオストメイト用汚物流しであって、ボウルと、前記ボウルの内壁に設けられた水栓と、を備え、前記ボウルは、その内側に、前記ボウルの上部開口端に向けて拡開した内壁面を有する上段部と、前記上段部の下に設けられた中段部と、前記中段部の下に設けられ、封水部を有する下段部と、を有し、前記中段部は、周側壁と、前記周側壁の下に設けられ略水平に延在する棚部と、前記周側壁に略接線方向に洗浄水を吐水する噴出口と、を有することを特徴とするオストメイト用汚物流しが提供される。
【発明の効果】
【０００７】
本発明によれば、清掃が容易なオストメイト用汚物流しが提供される。
【発明を実施するための最良の形態】
【０００８】
以下、本発明の実施形態について図面を参照しつつ説明する。なお、各図面中、同様の構成要素には同一の符号を付して詳細な説明は適宜省略する。  
図１は、本発明の実施形態に係るオストメイト用汚物流しを例示するための模式斜視図である。
【０００９】
また、図２は、ボウル２の内部を眺めた模式斜視図である。  
図１に表すように、オストメイト用汚物流し１には、多目的トイレの壁面または多目的トイレの壁面に設けられたライニング６に設置されるボウル２、ボウル２の上部開口付近の内壁に設けられた水栓３、液体石鹸供給器４、フラッシュバルブの操作部５などが備えられている。また、ボウル２の内壁には、水道水などの水（洗浄水）を噴出するための噴出口１６ｂが設けられている。
【００１０】
図２に表すように、ボウル２の内側は大よそ３段の構造になっており、ボウル２の上部開口部付近の上段部５０と、上段部５０の下に設けられた中段部６０と、中段部６０の下に設けられた下段部７０と、から形成されている  
上段部５０は、ボウル２の開口端に向けて拡開した内壁面を有する。中段部６０には、旋回する洗浄水の落下を抑制するための、中段部６０の下部に設けられた略水平の棚部６４と、棚部６４の外周に接し上方に拡開して上段部５０に延在する周側壁１６ａと、が設けられている。噴出口１６ｂは、中段部６０の略上端から略下端にわたって中段部６０の向かって左側に設けられ、洗浄水をボウル２の前面１０の方向に吐水するように形成されている。すなわち、噴出口１６ｂは、周側壁１６ａの略接線方向に洗浄水を吐水するように開口している。なお、後に詳述するように、噴出口１６ｂは、向かって左側でなく、向かって右側からボウル２の前面１０の方向に向けて洗浄水を吐水するように設けてもよい。
一方、下段部７０は、棚部６４の内周端から封水部１３に延在する内壁を有する。
【００１１】
ボウル２は、例えば、陶器、合成樹脂、または合成樹脂にセラミック材もしくは陶器粉を混入させたものや、合成樹脂の表面に硬質材料をコーティングしたものなどからなるものとすることができる。        
図３は、ボウル２を例示するための模式図であり、図３（ａ）は模式平面図、図３（ｂ）は模式正面図である。  
図４（ａ）は、図３（ｂ）におけるＢ−Ｂ矢視断面図であり、図４（ｂ）は、図３（ａ）におけるＡ−Ａ矢視断面図である。  
図５は、図３（ｂ）におけるＣ−Ｃ矢視断面図である。  
図６（ａ）は、ボウル２の底面図であり、図６（ｂ）は、ボウル２の背面図である。  
以下、本実施形態の効果について、図７〜図１０を参照しつつ説明する。
【００１２】
図７は、本実施形態と対比される比較例（比較例１）に係るボウルを例示するための模式断面図である。  
ボウル１２０上部の開口縁部には、リム部１２１が設けられ、リム部１２１の内部にはリム通水路１２２が設けられている。また、リム部１２１はボウル１２０の内部に向けて張り出すようにして設けられ、リム部１２１の下面１２１ａにはリム通水路１２２に連通する複数の吐水口１２１ｂが設けられている。リム通水路１２２は図示しない給水口を介して、これも図示しない水タンクなどの給水源と接続されている。そのため、図示しないフラッシュバルブなどを操作することにより、水タンクなどの給水源から水道水などの水がリム通水路１２２に供給され、吐水口１２１ｂからボウル１２０の内部に向けて吐水されるようになっている。
【００１３】
このようなリム部１２１が設けられたボウル１２０においては、オストメイトが汚物の廃棄や洗浄などの作業を行う際に、汚物がリム部１２１の下面１２１ａに付着するおそれがある。この場合、付着した汚物は吐水口１２１ｂからの吐水だけでは除去することができず、別途清掃作業をする必要がある。また、下面１２１ａはボウル１２０の上方からは見えづらく、汚物の付着を発見することも、これを清掃により除去できたか否かを確認することも容易ではない。
【００１４】
本発明者は検討の結果、リム部１２１の下面１２１ａのように汚物が付着しやすく、また、見えづらく、除去と清掃がし難い部分を無くすようにすれば、清掃の手間を削減することができ、また、衛生面の観点からも好ましいとの知見を得た。
【００１５】
図５に表すように、本発明の実施形態に係るボウル２の上部開口縁部１６には、上段部５０が設けられている。上段部５０の内壁面は、ボウル２の開口端に向けて拡開している。また、上段部５０の下には、噴出口１６ｂから噴出された水の旋回流を形成させるための周側壁１６ａが設けられている。なお、周側壁１６ａはその断面をやや凹状として、旋回流を形成させやすくすることもできる。
ボウル２には、周側壁１６ａに向けて水道水などの水を略接線方向に噴出する噴出口１６ｂが設けられ、噴出口１６ｂには図示しない水タンクなどの給水源が接続されている。また、フラッシュバルブの操作部５を操作することにより、水タンクなどの給水源から水道水などの水が噴出口１６ｂを介して周側壁１６ａに噴出されるようになっている。そして、水道水などの水は、噴出口１６ｂから略水平方向に噴出され、噴出された水は案内部１６ａに沿ってボウル２の中段部６０と上段部５０の一部（前面１０側の部分、すなわち、オストメイトが作業する側の部分）とをほぼ一周旋回しながら、ボウル２の壁面などに付着した汚物を下段部７０の封水１３の内へ流し込む。すなわち、ボウル２内に噴出された水は周側壁１６ａに沿うようにして旋回流を形成し、ボウル２の壁面などに付着した汚物を除去しつつ封水１３の内へ流れ込む。封水１３の中に流れ込んだ汚物はボウル２内に噴出された水とともに排水部９から外部に排出される。
【００１６】
周側壁１６ａの下には、略水平に延在する棚部６４が設けられている。周側壁１６ａを旋回する洗浄水は、棚部６４により支えられ、下方への落下が抑制されつつ、旋回流を形成する。つまり、棚部６４を設けることにより、噴出口１６ｂから吐水された洗浄水の旋回流は、封水部１３に直ちに落下することなく周側壁１６ａをほぼ一周し、ボウル２の内壁面のほぼ全体をむらなく洗浄することができる。
【００１７】
本実施形態における上段部５０の内壁面は、中段部６０の周側壁１６ａとなだらかに連接するようになっている。そのため、図７に表す比較例１に係るボウル１２０のように、ボウル１２０の内部に向けてオーバーハング状に張り出している部分を有していない。その結果、リム部１２１の下面１２１ａのように汚物が付着しやすく、また、見づらくて除去と清掃がし難い部分が存在しない。また、汚物が付着、残留しやすいボウル２の上部には、洗浄と排出のための旋回流を形成させるようにしているので、ボウル２内に付着、残留する汚物を大幅に低減させることができる。そのため、清掃の手間を削減することができ、また、衛生面にも優れたオストメイト用汚物流し１とすることができる。
【００１８】
次に、噴出口１６ｂの位置について、図８〜図１０を参照しつつ説明する。  
図８（ａ）は、本実施形態に係るボウル２の一例及びその洗浄水の流れ方を表す模式平面図である。また、図８（ｂ）は、本実施形態に係るボウル２の別の一例及びその洗浄水の流れ方を表す模式平面図である。
【００１９】
図８（ａ）及び（ｂ）に表すように、本実施形態では、噴出口１６ｂは、中段部６０の略上端から略下端にわたって中段部６０の左側（図８（ａ））または右側（図８（ｂ））に設けられ、洗浄水をボウル２の前面１０の方向に向けて噴出する。以下、噴出口１６ｂをこのように設けることの理由について説明する。
【００２０】
まず、上下方向の位置について、図９を参照しつつ説明する。  
図９（ａ）は、本実施形態と対比される比較例（比較例２）に係るボウル２及びその洗浄水の流れ方を表す模式平面図である。また、図９（ｂ）は、本実施形態と対比される比較例（比較例３）に係るボウル２及びその洗浄水の流れ方を表す模式平面図である。
【００２１】
図９（ａ）に表すように、比較例２では、噴出口１６ｂは、上段部５０に設けられている。この場合、洗浄水が吐水される高さと、ボウル２の上部開口端の高さとが近接するため、矢印２０４ａに表すように、洗浄水がボウル２の外に飛び出す可能性がある。また、洗浄水の流れる高さが比較的高いため、矢印２０４ｂに表すように、洗浄水がフラッシュバルブの操作部５、水栓３、または液体石鹸供給器４などに衝突して旋回流を形成しにくい。さらに、汚物を流した洗浄水が操作部５などに衝突すると、操作部５などに汚物が付着する可能性がある。
【００２２】
次に、図９（ｂ）に表すように、比較例３では、噴出口１６ｂは、中段部６０の下方に設けられている。この場合、矢印２０６ａに表すように、洗浄水の流れる範囲は中段部６０及びその下方に限られてしまう。この場合、洗浄水は、中段部６０の上半分と上段部５０を流れないため、これらの部分の洗浄ができない。
【００２３】
これに対して、本実施形態では、噴出口１６ｂは、上下方向については中段部６０（周側壁１６ａ）のほぼ全範囲（上端から下端にわたって）にわたって設けられている。また、周側壁１６ａの下には、洗浄水の落下を抑制するための棚部６４が形成されている。このようにすることにより、洗浄水がボウル２の外に飛び出したり、操作部５などに衝突するしたりすることがない。また、逆に、洗浄水がボウル２の上部を流れることなく封水部１３に流れ込むなどということもない。つまり、図８（ａ）の矢印２００及び図８（ｂ）の矢印２０２に表すように、洗浄水はボウル２の中段部６０、下段部７０、及び上段部５０の一部（前面１０側の部分、すなわち、オストメイトが作業する側の部分。矢印２００ａ及び矢印２０２ａ）に満遍なく流れる。特に、上段部５０のうちの前面１０の側の部分に着目すると、図５に表したように、リップ部８（ボウル２の前面１０付近）において、上段部５０の内壁面と、中段部６０の周側壁１６ａと、は、略連続的に（なだらかに）つながっている。こうすると、周側壁１６ａを流れる旋回流はその遠心力により、上方に拡開した上段部５０の内壁面を上昇し、そこに付着した汚物を洗い流すことができる。オストメイト用の汚物流しの場合、パウチの内容物をボウル２に排出したり、ストーマの周囲を洗浄する際に、特に、リップ部８の付近の内壁面に汚物が付着しやすい。これに対して、本具体例によれば、周側壁１６ａを流れる旋回流が、リップ部８の付近において上段部５０の内壁面にまで上昇することにより、付着した汚物を洗い流すことができ、効率的な洗浄が可能となる。
【００２４】
また上段部５０のリップ部８付近に付着した汚物は、水栓３により速やかにボウル２に洗い流すことが可能である。その水栓３の操作をする際、中段部６０に設けた噴出口１６ｂよりも高い上段部５０の奥側に水栓３を設けているため、オストメイトが汚物流しを利用する際に汚物が直接水栓３に付着したり洗浄の際に水栓３が汚物混じりの洗浄水に侵されることがない。また、本実施形態のように傾斜面１５に水栓３を取り付けることで、水栓３に利用の際に付着する水滴等はこの傾斜面１５を伝って速やかにボウル２に流れるため、水栓３周りがに水の溜まりができ難い。また、万一汚れてしまった手で水栓３を操作する事態になっても直接水栓３に水を掛け洗い流しても、この傾斜面１５により簡単にボウル２に洗い流すことができる。
【００２５】
以上説明したように、噴出口１６ｂは、上下方向については中段部６０の略上端から略下端にわたって設けられるのが望ましい。
【００２６】
次に、水平方向における噴出口１６ａの位置について、図１０を参照しつつ説明する。
【００２７】
図１０（ａ）は、本実施形態と対比される比較例（比較例４）に係るボウル２及びその洗浄水の流れ方を表す模式平面図である。また、図１０（ｂ）は、本実施形態と対比される比較例（比較例５）に係るボウル２及びその洗浄水の流れ方を表す模式平面図である。
【００２８】
図１０（ａ）に表すように、比較例４では、噴出口１６ｂは、ボウル２の内側奥面に設けられている。  
噴出口１６ｂから吐水した洗浄水は、周側壁１６ａの曲率が比較例小さい部分（湾曲が緩やかな部分）においては滑らかに流れるが、曲率が比較例大きい場所（略直角に湾曲している部分など）においては、進行方向と対向する面と衝突するように流れるため、流速が低下しやすい。
【００２９】
本実施形態では、ボウル２は、通常は、多目的トイレの壁面または多目的トイレの壁面に設けられたライニング６に設置される。このため、ボウル２の背面４０は、平坦な面にすることが望ましい。かかる状況下で、ボウル２の内側空間をより効率的に確保するためには、すなわち、ボウル２の内側空間をできるだけ大きくするためには、ボウル２の内面において、左奥角及び右奥角の曲率を大きく（直角に近く）することが必要となる。この場合、矢印２０８ａに表すように、周側壁１６ａを流れる洗浄水の一部はボウル２の中段部６０の左奥角で散乱する。これにより、洗浄水の運動エネルギーは減殺され、封水部１３に向けて落下する。したがって、比較例４の場合、洗浄水の旋回流が形成されにくく、ボウル２の向かって右側の内壁面にまで旋回流が到達しにくい。つまり、ボウル２の内壁面をむらなく洗浄することが困難となる。
【００３０】
次に、図１０（ｂ）に表すように、比較例５では、噴出口１６ｂは、ボウル２の内側における前面１０側の部分に設けられている。この場合、噴出口１６ｂから噴出された洗浄水は、比較例４ほどではないものの、比較的早い段階で曲率の比較的大きい部分（右奥角の部分及び左奥角の部分）に達する。このため、比較的４に関して前述した理由により、矢印２１０ａ及び矢印２１０ｂに表したように、洗浄水はボウル２の右奥角及び左奥角で散乱する。これにより、洗浄水の運動エネルギーは減殺され、封水部１３に落下する。したがって、比較的５の場合は、ボウル２の向かって左側に洗浄水が到達しにくい。
【００３１】
これに対して、本実施形態では、噴出口１６ｂは、水平方向については中段部６０の左側（図８（ａ））または右側（図８（ｂ））に設けられており、洗浄水がボウル２の前面１０の方向に噴出されるように設けられている。
【００３２】
ここで、本実施形態では、ボウル２の上部縁（リップ部８）は、背の高いオストメイトであってもこのリップ部８に腹部を押し当てて容易に汚物の処理ができるような形状となっている。すなわち、オストメイトが前かがみになり腹部をリップ部８に押し当てた状態で汚物を処理している最中に汚物が漏出しても汚物がボウル２の中に自然に入っていくように、平面視でボウル２の外側に向けて凸状にゆるやかに湾曲した形状となっている。これにより、ボウル２の内面の前面１０側の曲率は小さくなる。つまり、前面１０の側において、周側壁１６ａはゆるやかに湾曲した流路を形成している。  
このため、噴出口１６ｂから噴出された洗浄水は、まず曲率の比較的小さい領域（前面１０側の領域）を通ることになり、洗浄水の運動エネルギーの低下が抑制され、流速の低下が抑制された旋回流がボウルの向かって右側の奥にまで到達する。
【００３３】
また、周側壁１６ａの下には、旋回流を下方から支えて落下を抑制するための棚部６４が設けられている。  
こうすることにより、図８（ａ）の矢印２００及び図８（ｂ）の矢印２０２に表すように、洗浄水はボウル２の中段部６０、下段部７０、及び上段部５０の一部（前面１０側の部分、すなわち、オストメイトが作業する側の部分。矢印２００ａ及び矢印２０２ａ）を満遍なく旋回する。その結果として、ボウル２のほぼ全体をむらなく洗浄することができる。
【００３４】
以上説明した理由により、噴出口１６ｂは、水平方向については中段部６０の左側（図８（ａ））または右側（図８（ｂ））に設け、洗浄水がボウル２の前面１０の方向に噴出されるように設けるのが望ましい。
【００３５】
次に、本実施形態のオストメイト用汚物流しが備えるその他の構成要素について説明する。  
図２〜図５に表すように、ボウル２は、汚物の洗浄や投入がしやすいように上面が大きく開口され、前面１０にはリップ部８が設けられている。図１０に係る比較例４及び比較例５との比較における本実施形態に関して前述したように、リップ部８は、背の高いオストメイトであってもこのリップ部８に腹部を押し当てて容易に汚物の処理ができるような形状となっている。すなわち、オストメイトが前かがみになり腹部をリップ部８に押し当てた状態で汚物を処理している最中に汚物が漏出しても汚物がボウル２の中に自然に入っていくように、ボウル２の外側に向けて凸状に湾曲した形状となっている。
【００３６】
また、リップ部８は、ボウル２の溢れ面を形成している。ここでいう溢れ面とは、ボウル２の排水部９が詰まった時などに、ボウル２の外に汚水が流れ出す面のことである。このような溢れ面が形成されていると、排水部９が詰まるという異常事態が起きても、汚水は溢れ面から外に流れ出すので、他の部分が汚れることを抑制することができる。本実施形態においては、図５に表すように、ボウル２の上面形状が前面１０の方向（オストメイトが作業する側）に向けて下方傾斜をしているため前面１０の側にあるリップ部８の高さが上面では一番低くなり、リップ部８が溢れ面となる。そのため、排水部９が詰まるという異常事態が起きても、汚水が多目的トイレの壁面または多目的トイレの壁面に設けられたライニング６側に流れ出ることがなく、多目的トイレの壁面やライニング６などが汚れるのを抑制することができる。
【００３７】
また、ボウル２の前面１０（オストメイトが作業する側の面）は、下方になるに従いボウル２の背面側（前面１０と対向する側の面）に近づくような方向に傾斜をしている。そのため、図５に表すように、ボウル２の下部に空間１１が形成されるようになる。そして、この空間１１に膝などを入れることで、オストメイトが前かがみになり腹部をリップ部８に押し当てた状態で汚物の廃棄や洗浄などの作業をすることが容易となる。
また、ボウル２の側面１２ａ、側面１２ｂはボウル２の鉛直線に略平行な平面となっている。そのため、側面１２ａ、側面１２ｂを膝などで抱きかかえるようにして挟むこともできる。そして、側面１２ａ、側面１２ｂを膝などで挟むことができれば、オストメイトが前かがみになり腹部をリップ部８に押し当てた状態で汚物の廃棄や洗浄などの作業をする際の作業の安定性を向上させることができる。
【００３８】
図５に表すように、ボウル２の下部には封水部１３が設けられている。そして、ボウル２の内部と排水部９とを封水部１３を介して連通させることで、悪臭の発生を抑制しつつ汚物の排出ができるようになっている。尚、排水部９は図示しない排水管と接続されており、汚物が外部（例えば、下水管など）に排出できるようになっている。
ボウル２の前面１０と対向する側の面には、開口縁部に連接する傾斜面１５が設けられている。また、傾斜面１５には、水栓３、液体石鹸供給器４、フラッシュバルブの操作部５などを取り付けるための孔１４が設けられている。そして、孔１４に取り付けられた水栓３、液体石鹸供給器４、フラッシュバルブの操作部５などの上端部分が、オストメイトが作業する側（前面１０の側）の上方に向けて突出するようになっている。そのため、水栓３などを操作する際の作業性を向上させることができる。また、水栓３、液体石鹸供給器４などの吐水口をボウル２の内部に位置するようにすることができるので、オストメイトが汚物の廃棄や洗浄などの作業を行う際に汚物がボウル２の外部に飛び散ることを抑制することができる。
【００３９】
尚、傾斜面１５は必ずしも必要ではなく、水栓３などをボウルの上部開口付近の内壁（例えば、略垂直な内壁）に備えるようにすることもできる。ただし、傾斜面１５を設けて、そこに水栓３などを備えるものとすれば、前述したように水栓３などを操作する際の作業性を向上させることができる。
【００４０】
また、液体石鹸供給器４、フラッシュバルブの操作部５は、必ずしも傾斜面１５に備えられている必要はない。例えば、ボウル２の上方の多目的トイレの壁面やライニング６などに備えるようにすることもできる。ただし、これらを傾斜面１５に備えるようにすれば、移動を伴わずともこれらのものに手が届くので、オストメイトにとって使い易いシステムとすることができる。
【００４１】
本実施形態においては、このようにボウル２の背面側の上部開口付近の内壁に水栓３などの装置を備えるようにしているため、オストメイトが行う汚物の廃棄や洗浄などの作業の高さ方向位置と水栓３などの装置の高さ方向位置とを近接させることができる。すなわち、作業位置と作業に用いられる水栓３などの位置とを同一平面に近い状態とすることができる。そのため、オストメイトの目の位置と、廃棄・洗浄作業をする位置との間に水栓３などが介在することを極力抑制することができる。その結果、オストメイトの視線が遮られないので作業の視認性を大幅に向上させることができる。また、作業位置と作業に用いられる水栓３などの位置とが同一平面に近い状態にあるので、水栓３などの装置同士の間の隙間（例えば、水栓３と液体石鹸供給器４との間の隙間、水栓３とフラッシュバルブの操作部５との間の隙間）を通して作業を視認することも容易となる。
【００４２】
また、本実施形態では、水栓３などは、平面視で極力ボウル２の内面側（前面１０の方向）に突出しないように、上方に延出するように設けることができる。これにより、例えばオストメイトが前面１０に腰を圧着してボウル２の上方で前かがみになり腹部の状況を確認する際でも、水栓３などは視線の邪魔になりにくいため、作業時の視認性はさらに向上される。
【００４３】
また、水栓３、液体石鹸供給器４、フラッシュバルブの操作部５などの装置をボウル２に直接設けるようにしているため、オストメイト用汚物流し１の設置スペースを少なくすることもできる。オストメイトが使用をするオストメイト用汚物流し１は、駅のトイレや街の公衆トイレなどのパブリックスペースに設置されることが多い。また、通常のトイレの大便器が設置されるような個室にも設置されることを考慮することが好ましい。このような、パブリックスペースなどでは、比較的狭いスペースしか確保できない場合もあるが、本実施形態に係るオストメイト用汚物流し１はそのような場所にも設置が可能となる。
【００４４】
図１１は、水栓３を例示するための模式斜視図である。        
水栓３には、水道水などの水を吐水させるための吐水ヘッド１９と、吐水ヘッド１９に接続された可撓性のホース１７と、ホース１７の収納と引き出しが可能な水栓取り付け部１８と、が設けられている。吐水ヘッド１９は、水栓取り付け部１８からホース１７とともに引き出して使用することができ、水道水などの水を所望の位置や向きで吐水させることができる。吐水ヘッド１９が水栓取り付け部１８に装着されている状態では、水がボウル２内に落下しやすいように、吐水ヘッド１９は若干前向きに傾斜して設置されている。
【００４５】
そして、吐水ヘッド１９を引き出さない状態での吐水方向が、ボウル２の内壁部に向かうようになっている。そのため、吐水ヘッド１９が引き出されていない状態で吐水をすれば、ボウル２の内壁が常に洗い流され衛生面に優れたオストメイト用汚物流し１となっている。また、吐水ヘッド１９が水栓取り付け部１８に装着されているままでもパウチ内などの洗浄がしやすいようにもなっている。また、吐水ヘッド１９を引き出すことで、オストメイトが服を脱いでストーマやストーマ周辺を洗浄したり、ボウル２内部を局所的に洗浄したりすることがしやすいようにもなっている。
【００４６】
また、水栓３は、いわゆるスイッチ水栓とすることができる。そのため、水栓３のヘッド部２０を押すことで吐水をさせることができ、再度ヘッド部２０を押すことで吐水を停止させることができる。吐水ヘッド１９は、シャワー状の吐水をさせるものとすることができるが、これに限定されるわけではなく、適宜変更することができる。
【００４７】
また、水洗３の操作部を別途設けるようにすることもできる。例えば、図１に表したフラッシュバルブの操作部５の代わりに水洗３の操作部を設けるようにすることができる。この場合も、操作部を押すことで吐水をさせることができ、再度操作部を押すことで吐水を停止させるようにすることができる。
【００４８】
ホース１７が吐水ヘッド１９とともに水栓取り付け部１８から引き出され、ボウル２の上部開口付近で吐水ヘッド１９から吐水をさせる場合において、ホース１７の撓んだ部分が封水部１３の封水に触れないようなホース１７の長さとすることが好ましい。    
また、水栓取り付け部１８にホース１７を収納させやすいようにするため、ホース１７の収納（水栓取り付け部１８への引き込み）を助長する図示しない付勢手段を設けるようにすることもできる。
【００４９】
本実施形態においては、ボウル２の背面側の上部開口付近に水栓３を設けるようにしているため、オストメイトが行う洗浄作業の位置と水栓取り付け部１８の位置とを近接させることができる。そのため、水栓取り付け部１８からの吐水ヘッド１９の引き出し量を少なくすることができ、その分、引き出されるホース１７の長さを短くすることができる。その結果、ホース１７のたわみ量をも少なくすることができ、撓んだホース１７が封水部１３に触れることを防止することができる。
【００５０】
尚、図示しない電気温水器を備え水栓３から温水を吐水可能としたり、温水と水道水などの水との混合割合を調整するための調整手段を設けて水栓３から吐水させる水の温度を調整するようにすることもできる。
【００５１】
また、水栓３の配管には図示しないバキュームブレーカを設けるようにすることができる。バキュームブレーカは、ボウル２のリップ部８よりも上方に位置するようにして設けられる。そのようにすれば、汚水がバキュームブレーカの空気取り入れ口から侵入したり、吐水ヘッド１９を汚物などで汚してしまったような場合でも上流側（水道水側）が汚されるのを抑制することができる。バキュームブレーカとしては、スイング弁を用いたものやダックビルを用いたものなどを採用することができる。
【００５２】
図１２は、フラッシュバルブを例示するための模式図である。      
フラッシュバルブ２１は、ボウル２の内壁に付着した汚物などを水圧を利用して一気に洗い流すためのものであり、前述したように、操作部５を操作することにより、水タンクなどの給水源からの水が汚物流し用水配管２４を介して噴出口１６ｂから周側壁１６ａに噴出されるようになっている。
【００５３】
また、フラッシュバルブ２１の下部（下流側）には、バキュームブレーカ２２が設けられており、フラッシュバルブ２１の左側部は上流側の水配管２３と接続されている。そして、水配管２３は図示しない水タンクなどの給水源と接続されている。
【００５４】
また、バキュームブレーカ２２は、ボール部２のリップ部８よりも上方に位置するようにして設けられている。そのようにすれば、汚水がバキュームブレーカの空気取り入れ口から侵入したり、上流側（水道水側）が汚物などにより汚されたりすることを抑制することができる。バキュームブレーカとしては、スイング弁を用いたものやダックビルを用いたものなどを採用することができる。
液体石鹸供給器４は、少量の液体石鹸を吐出可能とするものであり、図示しない液体石鹸を収容するためのタンクや吐出手段などを備えている。尚、液体石鹸供給器４は、必ずしも必要ではなく省くこともできるが、公衆衛生の観点からは設けられていた方が好ましい。また、液体石鹸供給器４の変わりに、あるいは液体石鹸供給器４とともに、消毒液供給器などを設けるようにすることもできる。
【００５５】
また、多目的トイレの壁面または多目的トイレの壁面に設けられたライニング６にトイレットペーパーホルダ７を設けるようにすることもできる。例えば、図１に表すように、ボール部２の側方にトイレットペーパーホルダ７を設けるようにすることができる。
【００５６】
また、ストーマ及びその周辺を視認することなどに用いる半固定鏡、衣類をかけるためのフック、荷物や着替えなどを置くための棚や台などを適宜設けるようにすることもできる。
【００５７】
次に、オストメイト用汚物流し１の作用について説明をする。        
オストメイトは、身体に装着していたパウチを外して、水栓３から吐水される水でこのパウチの内部を洗浄したり、ストーマ及びその周辺を洗浄したりする。この際、図１１に表したように、吐水ヘッド１９を水栓取り付け部１８から引き出して吐水をさせるようにすることができる。  
本実施形態に係るオストメイト用汚物流し１においては、前述したように、ホース１７の撓み量を少なくすることができるので、撓んだホース１７が封水部１３に触れることを防止することができる。そのため、洗浄作業の作業性を向上させることができるのみならず、衛生的でもある。
【００５８】
尚、図示しない半固定鏡を用いてストーマ及びその周辺を視認しながら洗浄を行うこともできるし、冬場などにおいては、水栓３から所望の温度の温水を吐水させることもできる。また、液体石鹸供給器４から液体石鹸を出して、手やパウチなどの洗浄を行うこともできる。
【００５９】
また、前述したように、吐水ヘッド１９を引き出さない状態での吐水方向が、ボウル２の内壁部に向かうようになっている。そのため、吐水ヘッド１９が引き出されていない状態で吐水をすれば、ボウル２の内壁が常に洗い流され衛生的である。
【００６０】
こうした汚物の廃棄・洗浄作業を行っている最中に、例えば、汚物がストーマから勢い良く飛び出したり、パウチ内やストーマ周りの汚物の量、状態、洗い方などによって汚物が周囲に飛び散ったりして、不本意にも周辺を汚してしまうことがある。このような場合、例えば、図７に表した比較例のようにボウルの内部に向けて張り出している部分を有しているものとすれば、除去と清掃がし難いリム部１２１の下面１２１ａに汚物が付着してしまうおそれがある。
【００６１】
これに対し、本実施形態に係るオストメイト用汚物流し１は、ボウル２の内部に向けて張り出している部分を有していないため、張り出している部分の下面に付着、残留するような汚物を無くすことができる。また、汚物が付着、残留しやすいボウル２の上部（中段部６０及び一部上段部５０）には、洗浄と排出のための旋回流を形成させるようにしているので、ボウル２内に付着、残留する汚物を大幅に低減させることができる。その結果、清掃の手間を削減することができるのみならず、衛生的でもある。
【００６２】
次に、ストーマ及びその周辺を洗った後、トイレットペーパーなどでストーマやその周辺に付いた水を拭き取り、新しいパウチをストーマに装着する。  
次に、操作部５を押し、フラッシュバルブ２１を作動させてボウル２の内壁面を洗い流すとともに、排水部９を介して汚物をボウル２の外部に一気に排出させる。この際、吐水ヘッド１９からも吐水をさせてボウル２の内壁を洗い流すようにすることもできるし、吐水ヘッド１９を水栓取り付け部１８から引き出して吐水をさせることで、ボウル２の各所などを洗浄することもできる。
【００６３】
本実施形態に係るオストメイト用汚物流し１においては、洗浄などの作業位置と作業に用いられる水栓３などの位置とを同一平面に近い状態とすることができる。そのため、オストメイトの目の位置と、廃棄・洗浄作業をする位置との間に水栓３などが介在することを極力抑制することができる。その結果、オストメイトの視線が遮られないので作業の視認性を大幅に向上させることができる。また、作業位置と作業に用いられる水栓３などの位置とが同一平面に近い状態にあるので、水栓３などの装置同士の間の隙間（例えば、水栓３と液体石鹸供給器４との間の隙間、水栓３とフラッシュバルブの操作部５との間の隙間）を通して作業を視認することも容易となる。    
また、これら一連の作業において必要となるもの、例えば、水栓３、液体石鹸供給器４、フラッシュバルブ２１の操作部５がボウル２に直接設けられている。また、トイレットペーパーホルダー７などもボウル２に近接させるようにして設けられている。そのため、移動を伴わずとも各装置に手が届くので、オストメイトにとって使い易いシステムとなっている。また、オストメイト用汚物流し１の設置スペースを少なくすることもできる。
また、本実施形態に係るボウル２は、そのリップ部８がボウル２の外側に向けて凸状に湾曲した形状をしている。そのため、背の高いオストメイトであってもリップ部８に腹部を押し当てやすく、容易に汚物の廃棄や洗浄をすることができる。
【００６４】
また、ボウル２の前面１０（オストメイトが作業する側の面）は、下方になるに従いボウル２の背面側（前面１０対向する側の面）に近づくような方向に傾斜をしている。この傾斜により形成される空間１１に膝などを入れることで、オストメイトが前かがみになり腹部をリップ部８に押し当てた状態での汚物の廃棄や洗浄が容易となる。
【００６５】
また、ボウル２の側面１２ａ、側面１２ｂはボウル２の鉛直線に略平行な平面となっている。そのため、側面１２ａ、側面１２ｂを膝などで挟むことができ、オストメイトが前かがみになり腹部をリップ部８に押し当てた状態での汚物の廃棄や洗浄作業の安定性を図ることができる。
【００６６】
以上、本発明の実施形態について説明をした。しかし、本発明はこれらの記述に限定されるものではない。
【００６７】
前述の実施形態に関して、当業者が適宜設計変更を加えたものも、本発明の特徴を備えている限り、本発明の範囲に包含される。
【００６８】
例えば、オストメイト用汚物流し１に設けられる各要素などの形状、寸法、材質、配置などは、例示したものに限定されるわけではなく適宜変更することができる。
【００６９】
また、前述した各実施形態が備える各要素は、可能な限りにおいて組み合わせることができ、これらを組み合わせたものも本発明の特徴を含む限り本発明の範囲に包含される。
【図面の簡単な説明】
【００７０】
【図１】本発明の実施形態に係るオストメイト用汚物流しを例示するための模式斜視図である。
【図２】ボウル２の一例を詳細に表すための模式斜視図である。
【図３】図３は、ボウル２を例示するための模式図であり、図３（ａ）は模式平面図、図３（ｂ）は模式正面図である。
【図４】図４（ａ）は、図３（ｂ）におけるＢ−Ｂ矢視断面図であり、図４（ｂ）は、図３（ａ）におけるＡ−Ａ矢視断面図である。
【図５】図３（ｂ）におけるＣ−Ｃ矢視断面図である。
【図６】図６（ａ）は、ボウル２の底面図であり、図６（ｂ）は、ボウル２の背面図である。
【図７】本実施形態と対比される比較例（比較例１）に係るボウルを例示するための模式断面図である。
【図８】図８（ａ）は、本実施形態に係るボウル２の一例及びその洗浄水の流れ方を表す模式平面図であり、図８（ｂ）は、本実施形態に係るボウル２の別の一例及びその洗浄水の流れ方を表す模式平面図である。
【図９】図９（ａ）は、本実施形態と対比される比較例（比較例２）に係るボウル２及びその洗浄水の流れ方を表す模式平面図であり、図９（ｂ）は、本実施形態と対比される比較例（比較例３）に係るボウル２及びその洗浄水の流れ方を表す模式平面図である。
【図１０】図１０（ａ）は、本実施形態と対比される比較例（比較例４）に係るボウル２及びその洗浄水の流れ方を表す模式平面図であり、図１０（ｂ）は、本実施形態と対比される比較例（比較例５）に係るボウル２及びその洗浄水の流れ方を表す模式平面図である。
【図１１】水栓３を例示するための模式斜視図である。
【図１２】フラッシュバルブを例示するための模式図である。
【符号の説明】
【００７１】
１  オストメイト用汚物流し、２  ボウル、３  水栓、４  液体石鹸供給器、５  操作部、７  トイレットペーパーホルダー、８  リップ部、９  排水部、１０  前面、１１  空間、１２ａ  側面、１２ｂ  側面、１３  封水部、１５  傾斜面、１６ａ  周側壁、１６ｂ  噴出口、１７  ホース、１８  水栓取り付け部、１９  吐水ヘッド、２０  ヘッド部、２１  フラッシュバルブ、２２  バキュームブレーカ、２３  水配管、２４  汚物流し用水配管、５０  上段部、６０  中段部、６４  棚部、７０  下段部、２００  矢印、２００ａ  矢印、２０２  矢印、２０２ａ  矢印、２０４ａ  矢印、２０４ｂ  矢印、２０６ａ  矢印、２０８ａ  矢印、２１０ａ  矢印、２１０ｂ  矢印
【図１】
0004941336.tif 000002
【図２】
0004941336.tif 000003
【図３】
0004941336.tif 000004
【図４】
0004941336.tif 000005
【図５】
0004941336.tif 000006
【図６】
0004941336.tif 000007
【図７】
0004941336.tif 000008
【図８】
0004941336.tif 000009
【図９】
0004941336.tif 000010
【図１０】
0004941336.tif 000011
【図１１】
0004941336.tif 000012
【図１２】
0004941336.tif 000013